(57)【特許請求の範囲】
【請求項１】
一般映像及び広告映像の映像データを保持し、該映像データのタイトル、キーワード、広告映像か否かを示す広告属性情報、及び該映像データの所在場所を含む各種情報を該映像データに対しての映像属性情報としてデータベースに登録する映像登録クライアントと、該データベースを備え、該データベース中の映像属性情報の検索機能を持つ映像検索サーバと、該映像検索サーバに対し、該映像属性情報の検索要求を行い、該映像属性情報を検索結果として受け取り、該映像属性情報に含まれる映像データの所在の場所の情報に基づいて該映像登録クライアントから該映像データを取得し、再生する映像検索クライアントが通信回線を介して接続される、映像登録クライアントと映像検索クライアントとの間で映像データの送受信を行うピアツーピア型の映像流通システムにおける、広告映像を提供するための広告映像提供方法において、
前記映像検索クライアントにおいて、
前記映像検索サーバに対して検索要求を発行し、
前記映像検索サーバにおいて、
前記映像検索クライアントからの前記検索要求に対応する検索を行う際に、広告属性情報が広告映像ではない映像データの映像属性情報を検索対象として第１の検索を行い、第１の検索結果に含まれるタイトル、キーワードを含む情報に関連し、広告属性情報が広告映像である映像データの映像属性情報を対象として、第２の検索を行い、第１の検索結果と第２の検索結果とを合わせて前記映像検索クライアントに送信し、
前記映像検索クライアントにおいて、
前記映像検索サーバから広告属性情報が広告映像ではない映像データ及び広告属性情報が広告映像である映像データの映像属性情報の検索結果を取得し、取得した映像属性情報に含まれる映像データの所在場所の情報に基づいて、前記映像登録クライアントに対して映像データの送信を要求し、該要求に対応する映像データを取得する
ことを特徴とする広告映像提供方法。
【請求項２】
前記映像検索クライアントの利用者が、趣味や嗜好に関する情報を利用者情報として前記映像検索サーバに登録し、
前記映像検索サーバでは、前記映像検索クライアントから登録された前記利用者情報を検索条件に加えて前記第２の検索を行う
請求項１記載の広告映像提供方法。
【請求項３】
前記映像属性情報には、映像データを視聴したコメントが含まれる請求項２記載の広告映像提供方法。
【請求項４】
前記映像検索サーバにおいて、前記第２の検索を行う際に、該映像データの所在場所である映像登録クライアントが稼動中であって、該映像データを前記映像検索クライアントに対して転送可能かどうかを判断し、該映像データを提供可能な映像登録クライアント上に存在する映像データ映像属性情報を検索結果とする請求項２記載の広告映像提供方法。
【請求項５】
一般映像及び広告映像の映像データを保持し、該映像データのタイトル、キーワード、広告映像か否かを示す広告属性情報、及び該映像データの所在場所を含む各種情報を該映像データに対しての映像属性情報としてデータベースに登録する映像登録クライアントと、該データベースを備え、該データベース中の映像属性情報の検索機能を持つ映像検索サーバと、該映像検索サーバに対し、該映像属性情報の検索要求を行い、該映像属性情報を検索結果として受け取り、該映像属性情報に含まれる映像データの所在の場所の情報に基づいて該映像登録クライアントから該映像データを取得し、再生する要求・再生手段を有する映像検索クライアントが通信回線を介して接続される、映像登録クライアントと映像検索クライアントとの間で映像データの送受信を行うピアツーピア型の映像流通システムであって、
前記映像検索クライアントは、
前記映像検索サーバに対して検索要求を発行する検索要求手段と、
前記映像検索サーバから広告属性情報が広告映像ではない映像データ及び広告属性情報が広告映像である映像データの映像属性情報の検索結果を取得する検索結果受信手段と、
取得した前記映像属性情報に含まれる映像データの所在場所の情報に基づいて、前記映像登録クライアントに対して映像データの送信を要求し、該要求に対応する映像データを取得する映像データ受信手段と、
を有し、
前記映像検索サーバは、
前記映像検索クライアントからの前記検索要求に対応する検索を行う際に、広告属性情報が広告映像ではない映像データの映像属性情報を検索対象として第１の検索を行い、第１の検索結果に含まれるタイトル、キーワードを含む情報に関連し、広告属性情報が広告映像である映像データの映像属性情報を対象として、第２の検索を行う検索手段と、
前記第１の検索結果と第２の検索結果とを合わせて前記映像検索クライアントに送信する検索結果提供手段と、
を有することを特徴とする広告映像提供システム。
【請求項６】
前記映像検索クライアントは、
前記映像検索クライアントの利用者が、趣味や嗜好に関する情報を利用者情報として前記映像検索サーバに登録する利用者登録手段を更に有し、
前記映像検索サーバの前記検索手段は、
前記映像検索クライアントから登録された前記利用者情報を検索条件に加えて前記第２の検索を行う手段を含む
請求項５記載の広告映像提供システム。
【請求項７】
前記映像属性情報には、映像データを視聴したコメントが含まれる請求項６記載の広告映像提供システム。
【請求項８】
前記映像検索サーバの前記検索手段は、
前記第２の検索を行う際に、前記映像データの所在場所である映像登録クライアントが稼動中であって、該映像データを前記映像検索クライアントに対して転送可能かどうかを判断し、該映像データを提供可能な映像登録クライアント上に存在する映像データ映像属性情報を検索結果とする手段を含む請求項６記載の広告映像提供システム。
【請求項９】
請求項１，２，４の方法をコンピュータで実現するためのプログラム。
【請求項１０】
請求項９のプログラムを格納したコンピュータ読み取り可能な記録媒体。
【発明の詳細な説明】
【０００１】
【発明の属する技術分野】
本発明は、広告映像提供方法及びシステム及び広告映像提供プログラム及び広告映像提供プログラムを格納した記憶媒体に係り、特に、ネットワーク上のコンピュータ同士で映像データを送受信する映像流通システムにおける広告映像提供方法及びシステム及び広告映像提供プログラム及び広告映像提供プログラムを格納した記憶媒体に関する。
【０００２】
詳しくは、実際の映像データをクライアントコンピュータが所持し、サーバコンピュータは映像だけでなく、映像データの属性情報だけを管理し、クライアントからの検索要求に対し、検索結果として映像データの属性情報を返し、検索結果を受け取った各クライアントは、属性情報中の映像データの所在情報に基づいて実際の映像データを所持する別のクライアントに転送要求をかけるという、いわゆるピアツーピア（pier-topier)型のデータ検索及び、転送を行なう映像流通システムにおける広告映像を提供するための広告映像提供方法及びシステム及び広告映像提供プログラム及び広告映像提供プログラムを格納した記憶媒体に関する。
【０００３】
【従来の技術】
映像データをネットワーク上で流通させる映像流通システムにおける広告映像提供方法は、特開２０００−３５３１４７や特開９−５１５２２で提案されている方法に代表されるように近年多く提案されている。
【０００４】
特開２０００−３５３１４７で提案される方法に代表される広告映像の提供方法として、大量の一般映像と広告映像を保持するネットワーク上のサーバから、クライアントに対して、ある決められたタイミングで広告映像を提供し、クライアントコンピュータ上の画面に表示するという、いわゆるブロードキャスト型の方式がある。
【０００５】
この方式は、例えば、クライアントコンピュータを起動する際や、あるいはクライアントコンピュータの稼働中に一定時間おきにサーバから時事ニュース等の情報を提供し、クライアントコンピュータのバックグラウンド画面に表示する場合に適用されている。
【０００６】
この方式の場合、広告映像提供者は、クライアントコンピュータのバックグラウンド画面を広告媒体とすることで、クライアント利用者のコンピュータ作業に画面上の支障をきたすことなく広告情報の提供を行なうことができる。また、クライアント利用者は、コンピュータ作業中に、作業中の画面内容に影響がでない範囲で広告情報を参照することができる。
【０００７】
また、特開９−５１５２２で提案される方法に代表される広告映像の提供方法として、大量の一般映像とそれに付随する広告映像を保持するネットワーク上のサーバとサーバに対して映像データ、及び広告映像データを要求するクライアントから構成される映像流通システムにおいて、任意のタイミングでクライアントは、サーバに対して、映像データの提供をリクエストし、サーバは当該リクエストに対し、該当する映像データをクライアントに対し提供するという、いわゆるオンデマンド型の方式がある。
【０００８】
この方式は、例えば、インターネット上で映像データのストリーミング配信を行なっているサーバに対し、クライアントからＷｅｂブラウザを用いて映像の配信を要求を行なう場合に適用されている。
【０００９】
この方式の場合、広告提供者としては、クライアントから要求された一般映像データにその一般映像データと内容的に関連する広告映像を付随させて、これらを合わせてクライアントに提供することでクライアント利用者の要求内容と合致した広告映像を提供することができる。また、クライアント利用者としても自らの要求内容と合致した広告映像を視聴することで、自己の趣味、嗜好に関連する新たな知識を得ることができる場合もある。
【００１０】
また、上記の何れの方法においても、広告映像の制作から広告映像をクライアントに提供するまでの流れとして、まず、広告映像のスポンサーである広告主が自ら制作するか、あるいは、映像制作代行者に依頼することで、広告映像データが制作される。次に、制作された広告映像は、映像データの提供機能を備えるサーバコンピュータに転送され、当該サーバコンピュータの提供対象の広告映像データとして登録される。また、登録してから実際に提供する前に事前に広告映像データと既にサーバ上に存在する一般映像データを関連付け、広告映像付きの映像データとして管理する過程が必要である。サーバコンピュータに登録された後は、上記の各従来の方法のとおりの手順を踏んでクライアント利用者に提供される。
【００１１】
【発明が解決しようとする課題】
しかしながら、上記従来の方法のいずれの方法においても、クライアント利用者は、任意の広告映像を直接要求することはなく、ブロードキャスト、あるいは、オンデマンドの方式で一般映像を視聴する際に、一般映像に付随する映像として映像情報を視聴するという形式をとる。このため、クライアント利用者が積極的に様々な広告映像を視聴したい場合に、従来技術では、クライアント利用者に対し、広告映像の転送を直接要求する手段が提供されておらず、結果として利用者は種々の広告映像を視聴することができないという問題がある。
【００１２】
また、従来の方法では、広告映像の制作から製作した広告映像をサーバ上で管理するまで複数の工程があり、かつ、各工程の作業者も広告主が行なったり、製作代行者が行なったり、サーバ運用者が行なったりと、必ずしも同一の人物、事業者が行なうものでないことから、作業が煩雑になる可能性があり、これに対処するために、最終的にクライアントに映像データを送信するサーバの管理者にかかる負担が大きいという問題がある。
【００１３】
また、従来の方法は、前述のように、広告映像からサーバ上で管理するまでの複数の工程があり、且つ、各工程の作業者も広告主側が行なったり、広告提供者が行なったりと、必ずしも同一の人物、業者が行なうものでないことから、広告映像が製作されてから提供可能になるまで、ある程度の時間が必要となり、制作直後の最新の広告映像を即座にクライアント利用者に提供することが困難である。
【００１４】
また、従来の方法は、クライアント利用者に提供される広告映像は、利用者からの要求条件に合致した映像データと内容的に関連する映像として事前にサーバ側で用意されたものであるため、利用者の趣味や嗜好に直接合致したものではない場合がある。また、このような場合は、広告主としても広告効果が低くなってしまうという問題がある。
【００１５】
また、従来の方法では、広告主がクライアント利用者に提供した広告映像についての感想、意見等、利用者が広告映像に対してどのような反応を示しているかの情報を獲得する手順が存在しない。逆に、クライアント利用者からも広告映像に対して、苦情、あるいは、推奨の意を表すようなコメントを広告主に対して示す手段が存在せず、結果的には、広告主が製作した広告映像を利用者が受け取り、視聴する時点で広告映像の提供フローは完結し、広告映像が利用者にとってどのように活用されたかという情報がその後の広告映像の製作、あるいは、流通に反映されていない。
【００１６】
本発明は、上記の点に鑑みなされたもので、広告映像をネットワーク上で流通させる際に、映像視聴者が積極的に広告映像を視聴できる環境を提供し、また、映像データ製作から流通までの作業工程を簡素化し、製作直後の広告映像も即座に流通対象とすることを可能とし、また、利用者の映像データの要求条件だけでなく、趣味や嗜好にも関連した広告映像を提供することを可能とし、更には、広告映像に対して、視聴者は、苦情等のコメントを示すことができ、且つ、広告主は、コメントをその後の広告製作、映像流通に反映させることを可能とする広告映像提供方法及びシステム及び広告映像提供プログラム及び広告映像提供プログラムを格納した記憶媒体を提供することを目的とする。
【００１７】
【課題を解決するための手段】
図１は、本発明の原理を説明するための図である。
【００１９】
本発明（請求項１）は、一般映像及び広告映像の映像データを保持し、該映像データのタイトル、キーワード、広告映像か否かを示す広告属性情報、及び該映像データの所在場所を含む各種情報を該映像データに対しての映像属性情報としてデータベースに登録する映像登録クライアントと、該データベースを備え、該データベース中の映像属性情報の検索機能を持つ映像検索サーバと、該映像検索サーバに対し、該映像属性情報の検索要求を行い、該映像属性情報を検索結果として受け取り、該映像属性情報に含まれる映像データの所在の場所の情報に基づいて該映像登録クライアントから該映像データを取得し、再生する映像検索クライアントが通信回線を介して接続される、映像登録クライアントと映像検索クライアントとの間で映像データの送受信を行うピアツーピア型の映像流通システムにおける、広告映像を提供するための広告映像提供方法において、
映像検索クライアントにおいて、
映像検索サーバに対して検索要求を発行し、
映像検索サーバにおいて、
映像検索クライアントからの検索要求に対応する検索を行う際に、広告属性情報が広告映像ではない映像データの映像属性情報を検索対象として第１の検索を行い、第１の検索結果に含まれるタイトル、キーワードを含む情報に関連し、広告属性情報が広告映像である映像データの映像属性情報を対象として、第２の検索を行い、第１の検索結果と第２の検索結果とを合わせて映像検索クライアントに送信し、
映像検索クライアントにおいて、
映像検索サーバから広告属性情報が広告映像ではない映像データ及び広告属性情報が広告映像である映像データの映像属性情報の検索結果を取得し、取得した映像属性情報に含まれる映像データの所在場所の情報に基づいて、映像登録クライアントに対して映像データの送信を要求し、該要求に対応する映像データを取得する。
【００２０】
本発明（請求項２）は、映像検索クライアントの利用者が、趣味や嗜好に関する情報を利用者情報として前記映像検索サーバに登録し、
映像検索サーバでは、映像検索クライアントから登録された前記利用者情報を検索条件に加えて前記第２の検索を行う。
【００２１】
本発明（請求項３）は、映像属性情報には、映像データを視聴したコメントが含まれる。
【００２２】
本発明（請求項４）は、映像検索サーバにおいて、第２の検索を行う際に、該映像データの所在場所である映像登録クライアントが稼動中であって、該映像データを映像検索クライアントに対して転送可能かどうかを判断し、該映像データを提供可能な映像登録クライアント上に存在する映像データ映像属性情報を検索結果とする。
【００２４】
図２は、本発明の原理構成図である。
【００２６】
本発明（請求項５）は、一般映像及び広告映像の映像データを保持し、該映像データのタイトル、キーワード、広告映像か否かを示す広告属性情報、及び該映像データの所在場所を含む各種情報を該映像データに対しての映像属性情報としてデータベースに登録する映像登録クライアントと、該データベースを備え、該データベース中の映像属性情報の検索機能を持つ映像検索サーバと、該映像検索サーバに対し、該映像属性情報の検索要求を行い、該映像属性情報を検索結果として受け取り、該映像属性情報に含まれる映像データの所在の場所の情報に基づいて該映像登録クライアントから該映像データを取得し、再生する要求・再生手段を有する映像検索クライアントが通信回線を介して接続される、映像登録クライアントと映像検索クライアントとの間で映像データの送受信を行うピアツーピア型の映像流通システムであって、
映像検索クライアント３００は、
映像検索サーバに対して検索要求を発行する検索要求手段３１０と、
映像検索サーバから広告属性情報が広告映像ではない映像データ及び広告属性情報が広告映像である映像データの映像属性情報の検索結果を取得する検索結果取得手段３２０と、
取得した映像属性情報に含まれる映像データの所在場所の情報に基づいて、映像登録クライアントに対して映像データの送信を要求し、該要求に対応する映像データを取得する映像データ受信手段３３０と、
を有し、
映像検索サーバ２００は、
映像検索クライアント１００からの検索要求に対応する検索を行う際に、広告属性情報が広告映像ではない映像データの映像属性情報を検索対象として第１の検索を行い、第１の検索結果に含まれるタイトル、キーワードを含む情報に関連し、広告属性情報が広告映像である映像データの映像属性情報を対象として、第２の検索を行う検索手段２２０と、
第１の検索結果と第２の検索結果とを合わせて映像検索クライアント１００に送信する検索結果提供手段２３０と、を有する。
【００２７】
本発明（請求項６）は、映像検索クライアントにおいて、
映像検索クライアントの利用者が、趣味や嗜好に関する情報を利用者情報として映像検索サーバに登録する利用者登録手段を更に有し、
映像検索サーバの検索手段において、
映像検索クライアントから登録された利用者情報を検索条件に加えて第２の検索を行う手段を含む。
【００２８】
本発明（請求項７）は、映像属性情報には、映像データを視聴したコメントが含まれる。
【００２９】
本発明（請求項８）は、映像検索サーバの検索手段において、
第２の検索を行う際に、映像データの所在場所である映像登録クライアントが稼動中であって、該映像データを映像検索クライアントに対して転送可能かどうかを判断し、該映像データを提供可能な映像登録クライアント上に存在する映像データ映像属性情報を検索結果とする手段を含む。
【００３０】
本発明（請求項９）は、請求項１，２，４の方法をコンピュータで実現するためのプログラムである。
【００３４】
本発明（請求項１０）は、請求項９のプログラムを格納したコンピュータ読み取り可能な記録媒体である。
【００３５】
上記のように、本発明では、映像検索クライアントにおいて、映像検索サーバに映像属性情報の検索要求を出す際に、広告映像のみを対象として検索要求を出すことができる。このため、映像検索クライアント利用者は、自分の趣味、嗜好に合った広告映像を積極的に探し出し、視聴することが可能となる。
【００３６】
また、本発明では、映像検索サーバは、広告映像データの実体ではなく、データの映像属性情報だけを保持すればよく、また、広告映像と一般映像データの関連付けは、広告情報提供手順において自動的に行なわれる。そのため、広告主側で製作した広告映像の映像属性情報をサーバに一度だけ登録するだけで、広告映像の更新、あるいは、広告映像と一般的映像を対応付けて保持するような作業を行なわずに済み、広告映像の製作から提供までの作業の煩雑化を防ぐことが可能となる。
【００３７】
また、広告映像の更新の際は、例えば、更新前の広告映像の映像属性情報として映像ファイルの名称を登録しておき、広告主が新規に広告映像の映像ファイルを製作した場合でも、既に登録してある映像ファイル名と同じ名称で製作することで、新規に製作した広告映像の属性情報を新たに作成し、サーバに登録するような過程は必要なくなる。このため、作業の煩雑化を防ぐことができる他、映像の更新前からサーバ上に存在する映像属性情報中のファイル名の情報は新規に作成した映像ファイル名と同等のものであるため、広告映像の製作終了と共に、広告映像データの提供が可能になる。
【００３８】
また、本発明では、広告映像を視聴するクライアント利用者の趣味、嗜好に関する情報を利用者情報としてサーバで保持し、広告映像を検索する際に利用する。これにより、クライアント利用者に広告映像を提供する際に、利用者の趣味、嗜好に合致した広告映像を提供することが可能となり、利用者の広告映像の利用効率、あるいは、広告主にとっての広告効果も向上する。
【００３９】
また、本発明では、広告映像を視聴するクライアント利用者が広告映像を視聴した後、広告映像に内容に関しての感想、意見をサーバ側に登録し、登録した内容を後の他のクライアント利用者に対し、広告映像を提供する際に合わせて提供する。これにより、広告主としては、クライアント利用者が広告映像の内容に対し、どのような感想を持ったのかを知ることが可能となり、その後の広告映像の製作等に反映させることができる。また、クライアント利用者としても広告映像に対して、苦情や感謝の意を表すようなコメント情報を広告主に対して示すことが可能となる。
【００４０】
また、本発明は、映像属性情報を提供するサーバには、映像データの実体ではなく、その属性情報だけを保持し、クライアントにおいて、サーバ上の属性情報を検索し、検索した結果の属性情報を持つ映像データを視聴する場合は、サーバとは異なる別のコンピュータ上に存在する映像データの実体を視聴する要求をかけるいわゆるピアツーピア型のファイル交換方式の中での広告映像データの提供方法を提案するものである。ここで、ピアツーピア型のファイル交換方式の問題点として、サーバと実際に映像データを所持するコンピュータは別のコンピュータであるため、サーバで行った検索結果を基に映像データを視聴しようとしても映像データの実体を所持するコンピュータが稼動していない場合には、映像データの視聴が不可能になるということが挙げられる。つまり、検索結果としては得られるが実際のデータは視聴できない、という問題が存在するということである。
【００４１】
そこで、本発明では、広告映像の実データの存在するコンピュータのうち、コンピュータが稼動中であって、広告映像データを提供することが可能なコンピュータを映像検索サーバが判断し、広告映像データを提供することが可能なコンピュータ上に存在する広告映像データの映像属性情報のみをクライアント利用者に対して検索結果として提供する。このため、映像検索サーバから検索結果としてクライアント利用者に提供した広告映像データについて、クライアント利用者は、確実にその実データを視聴することができる。
【００４２】
また、本発明では、クライアント利用者に対して広告映像の転送の際にインセンティブを設け、さらに広告主から広告料を課金することで、広告映像の流通が促進され、広告主にとっての広告活動にも効果的であり、さらには、広告料をサーバ運用者のサーバ運用、管理のための資金としても活用できる。
【００４３】
【発明の実施の形態】
以下、本発明の実施の形態について図面と共に説明する。
【００４４】
［第１の実施の形態］
図３は、本発明の第１の実施の形態における広告映像流通システムの概要を示す。
【００４５】
同図に示すシステム、広告主の映像登録クライアント１００、映像検索サーバ２００、及び、映像検索クライアント３００の３つのコンピュータから構成される。
【００４６】
本発明の広告映像提供方法が適用可能な映像流通システムは、クライアント同士で実際の映像データの送受信を行なういわゆるピアツーピア型の映像流通システムであり、同図における実際の映像データ送受信は、広告主の映像登録クライアント１００と映像検索クライアント３００の間で行なわれる。
【００４７】
以下、図３を用いて、広告映像の製作から提供までの流れを説明する。
【００４８】
以下の説明における○内の数字と図３中の○内の数字は対応するものとする。
・  映像登録クライアント１００は、例えば、「新車紹介」の広告映像を最初に広告主が映像ファイルとして作成する。その後、作成した広告映像ファイルに対し、タイトル、キーワード、コメント、所在場所として、映像登録クライアントのコンピュータアドレス等を含む各種情報を作成した広告映像ファイルに対しての映像属性情報「映像属性情報Ａ」として作成し、これを映像検索サーバ２００に登録する。この際、映像検索サーバ２００に登録するのは、「映像属性情報Ａ」だけであり、実際の映像ファイルは登録しない。
【００４９】
・  次に、映像検索クライアント３００において、映像検索サーバ２００に対し、キーワード「新車」で映像属性情報の検索を行なう。
【００５０】
・  これを受けて、映像検索サーバ２００において、キーワードとして「新車」を持つ映像属性情報を映像属性情報ＤＢから検索し、「新車紹介」の広告映像についての「映像属性情報Ａ」を検索結果として映像検索クライアント３００に送信する。
【００５１】
・  映像検索クライアント３００では、「映像属性情報Ａ」を検索結果として受け取り、「新車紹介」の映像属性情報を参照する。この参照内容を受け、映像検索クライアント３００は、「映像属性情報Ａ」に含まれる「新車紹介」の広告映像データの所在場所情報を基に、広告主の映像登録クライアント１００に対し、広告映像データの転送を要求する。
【００５２】
・  広告主の映像登録クライアント１００は、映像検索クライアント３００からの映像データの転送要求に対し、「新車紹介」の広告映像データの送信を行なう。
【００５３】
・  この送信を受けて、映像検索クライアント３００では、広告主の映像クライアント３００から「新車紹介」の広告を受け取る。
【００５４】
［第２の実施の形態］
本実施の形態では、前述の第１の実施の形態におけるシステムの各クライアント及びサーバの構成について説明する。
【００５５】
図４は、本発明の第２の実施の形態における広告映像流通システムの構成を示す。
【００５６】
同図に示すシステムは、映像登録クライアント１００、映像検索サーバ２００、映像検索クライアント３００から構成される。
【００５７】
なお、前述の図３では、３つのコンピュータで構成されるが、映像登録クライアント１００は同等のコンピュータが複数台あってもよく、また、映像検索サーバ２００と同一であってもよい。同様に、映像検索クライアント３００も同等のコンピュータが複数台あってもよい。また、各コンピュータ間は同一ＬＡＮで接続されていても異種ＷＡＮで接続されていてもよい。
【００５８】
映像登録クライアント１００は、映像データに対して映像属性情報を作成し、作成した映像属性情報を映像検索サーバ２００に提供し、また、映像検索クライアント３００からの映像データ要求依頼に対して、実映像データを送信するものであり、例えば、パーソナルコンピュータで実現が可能である。パーソナルコンピュータで実現する場合、映像データを蓄積しておく蓄積場所以外は、例えば、ハードディスクを用いることで実現できる。また、映像属性情報を映像検索サーバ２００に送信したり、あるいは、映像コンテンツを映像検索クライアント３００に通信回線を介して送信する場合は、パーソナルコンピュータにネットワーク通信機能を持つハードウェア基板を装着し、当該基板を制御し、ネットワーク通信を行うソフトウェアを利用することで実現できる。
【００５９】
映像登録クライアント１００は、映像データＤＢ１１０、属性情報入力部１２０、属性情報送信部１３０、映像データ要求受信部１４０、映像データ送信部１５０から構成される。
【００６０】
映像データＤＢ１１０は、流通の対象となる映像データを格納する。このＤＢ１１０に対して、映像登録クライアント１００の各部がデータ取得のためのアクセスを行なうものであり、前述のとおり、例えば、パーソナルコンピュータ上のハードディスク等のデータ蓄積媒体により実現可能である。
【００６１】
映像属性情報入力部１２０は、映像データＤＢ１１０に格納される映像データに対して、映像データの一般的な記述情報としての各種情報を映像属性情報として入力するものである。映像属性情報としては、例えば、映像のタイトル、キーワード、コメント、実際のデータファイル名、あるいは、映像データの所在するコンピュータのアドレス情報等がある。映像属性情報の入力方法としては、例えば、パーソナルコンピュータの利用者が専用ソフトウェアを使用し、マニュアルで入力したり、あるいは、当該映像データファイルのヘッダ情報を読み込み、属性情報を自動的に抽出し、抽出した情報を入力することで実現できる。
【００６２】
映像属性情報送信部１３０は、映像属性情報入力部１２０で入力された映像属性情報を映像検索サーバ２００に送信するものであり、例えば、パーソナルコンピュータ上のメモリ上に展開される専用のソフトウェアとして実現できる。このソフトウェアは映像検索サーバ２００と通信を行うため、例えば、ネットワーク通信を行うハードウェア基板を制御する機能も含むものである。
【００６３】
映像データ要求受信部１４０は、映像検索クライアント３００からの映像データの要求信号を受け取るものであり、例えば、パーソナルコンピュータ上のメモリ上に展開される専用のソフトウェアとして実現できる。このソフトウェアは、映像検索クライアント３００と通信を行なうため、例えば、ネットワーク通信を行なうハードウェア基板を制御する機能も含むものである。
【００６４】
映像データ送信部１５０は、映像検索クライアント３００に対して映像データを送信するものであり、例えば、パーソナルコンピュータ上のメモリ上に展開される専用のソフトウェアとして実現できる。このソフトウェアは、映像検索クライアント３００と通信を行なうため、例えば、ネットワーク通信を行なうハードウェア基板を制御する機能も含むものである。
【００６５】
映像検索サーバ２００は、映像登録クライアント１００から受信した映像属性情報を格納し、更に、映像検索クライアント３００からの映像属性情報の検索要求に対し、検索処理を行い、結果を返すものであり、例えば、パーソナルコンピュータで実現が可能である。パーソナルコンピュータで実現する場合、映像属性情報を蓄積しておく蓄積媒体は、例えば、ハードディスクを用いることで実現できる。また、属性情報に対しての検索要求を受け取ったり、検索結果を映像検索クライアント３００に通信回線を介して送信する場合は、パーソナルコンピュータにネットワーク通信機能を持つハードウェア基板を装着し、当該基板を制御し、ネットワーク通信を行うソフトウェアを利用することで実現できる。
【００６６】
映像検索サーバ２００は、映像属性情報ＤＢ２１０、映像属性情報検索部２２０、及び検索情報送受信部２３０から構成される。
【００６７】
映像属性情報ＤＢ２１０は、映像登録クライアント１００から受け取った映像データの映像属性情報を格納する。このＤＢ２１０に対して、映像検索サーバ２００の各部がデータ取得のためのアクセスを行なうものであり、前述のとおり、例えば、パーソナルコンピュータ上のハードディスク等のデータ蓄積媒体により実現可能である。
【００６８】
映像属性検索部２２０は、検索情報送受信部２３０から検索条件の情報を受け取り、映像属性情報ＤＢ２１０内に格納される映像属性情報を検索し、検索結果を検索情報送受信部２３０に渡すものである。
【００６９】
検索情報送受信部２３０は、映像検索クライアント３００から映像属性情報の検索条件を受け取り、受け取った検索条件を映像属性情報検索部２２０に渡し、映像属性情報検索部２２０で検索処理が終了した後、映像属性情報検索部２２０から検索結果を受け取り、受け取った検索結果を映像検索クライアント３００に送信するものである。
【００７０】
映像検索クライアント３００は、映像検索サーバ２００に対し、映像属性情報についての検索条件を送信した後、映像検索サーバ２００から検索結果を受け取り、また、映像登録クライアント１００に対し、実際の映像データを要求し、映像データを受け取るものである。
【００７１】
映像検索クライアント３００は、検索条件送信部３１０、検索結果受信部３２０、映像データ要求部３３０、及び映像データ受信部３４０から構成される。
【００７２】
検索条件送信部３１０は、映像検索サーバ２００に対し、映像検索サーバ２００上の映像属性情報についての検索条件を通信回線を介して渡すものである。
【００７３】
検索結果受信部３２０は、映像検索サーバ２００からの検索結果の情報を受け取るものである。
【００７４】
映像データ要求部３３０は、映像登録クライアント１００上の映像データの要求を行なうものである。要求内容としては、例えば、データのダウンロード、あるいは、ストリーミング再生がある。
【００７５】
映像データ受信部３４０では、映像登録クライアント１００から所持する映像データを受信するものである。受信方法としては、例えば、データのダウンロード、あるいは、ストリーミングがある。
【００７６】
［第３の実施の形態］
本実施の形態では、映像検索クライアント３００から映像検索サーバ２００上の映像属性情報を検索し、結果を受け取るまでの動作を説明する。
【００７７】
図５は、本発明の第３の実施の形態における映像検索クライアントから映像検索サーバ上の映像属性情報を検索し、広告映像の映像属性情報を受け取るまでのフローチャートである。
【００７８】
ステップ１００）  映像検索クライアント３００上でクライアント利用者が検索条件を入力し、次に、入力した条件をコンピュータ上のメモリに記憶し、ステップ１０１に移行する。入力方法としては、例えば、映像属性情報検索専用のソフトウェアの画面を利用し、画面上でメニュー選択やマニュアル入力により行なう。また、検索条件の内容は、映像のタイトルやキーワード、コメント情報等を含むものである。
【００７９】
ステップ１０１）  ステップ１００で入力された検索条件を映像検索サーバ２００に送信し、ステップ１０２に移行する。送信方法としては、コンピュータ上でデータ送信用のソフトウェアを利用し、ネットワーク通信機能を持つ基板を制御し、必要な情報を映像検索サーバ２００へ転送することで実現できる。
【００８０】
ステップ１０２）  ステップ１０１で映像検索クライアント３００から送信された映像属性情報の検索条件を受信し、ステップ１０３に移行する。受信方法としては、コンピュータ上でデータ受信用のソフトウェアを利用し、ネットワーク通信機能を持つ基板を制御し、必要な情報を受け取ることで実現可能である。
【００８１】
ステップ１０３）  ステップ１０２で受信した映像属性情報の検索条件を基に、映像属性情報ＤＢ２１０内の映像属性情報を検索し、検索結果を出力し、ステップ１０４に移行する。映像属性情報ＤＢ２１０内に格納されるデータが大量な場合は、市販のＤＢシステムソフトウェアを利用することで高速に検索することが可能である。
【００８２】
ステップ１０４）  ステップ１０３で検索された結果の映像属性情報と関連する広告映像の映像属性情報を検索し、ステップ１０５に移行する。この際、ステップ１０３で検索された結果の映像属性情報と本ステップで検索される広告映像の映像属性情報は、１対１で対応しても良いし、ステップ１０３で検索された結果の映像属性情報１つに対し、本ステップで検索される広告映像属性情報の数は複数であってもよい。但し、ステップ１０３で検索された結果の映像属性情報と本ステップの検索結果である広告映像の映像属性情報の対応関係も含めて本ステップでの検索結果とする。また、本ステップは、ステップ１０３と同じく、映像属性情報ＤＢ２１０内に格納されるデータが大量な場合は、市販のＤＢシステムソフトウェアを利用することで高速に検索することが可能である。
【００８３】
ステップ１０５）  ステップ１０３及びステップ１０４の検索結果として一般映像、及び広告映像のタイトル、キーワード、コメント、コンテンツの所在情報等の映像属性情報を映像検索クライアント３００に送信し、ステップ１０６に進む。送信方法としては、コンピュータ上でデータ送信用のソフトウェアを利用し、ネットワーク通信機能を持つ基板を制御し、必要な情報を映像検索クライアントへ転送することで実現できる。
【００８４】
ステップ１０６）  ステップ１０５で映像検索サーバ２００から送信された映像属性情報を受信する。受信方法としては、コンピュータ上でデータ受信用のソフトウェアを利用し、ネットワーク通信機能を持つ基板を制御し、必要な情報を受け取ることで実現可能である。
【００８５】
［第４の実施の形態］
本実施の形態では、映像属性情報について説明する。
【００８６】
図６は、本発明の第４の実施の形態における映像属性情報の一例を示すリストの例である。
【００８７】
同図に示す例では、映像属性情報の項目として、ＩＤ、タイトル、カテゴリ、キーワード、広告映像（ＹまたはＮ）、ファイル形式、時間、ファイルサイズ、所在場所を持つものとする。
【００８８】
同図（ａ）の例では、ＩＤとして、「０００１００１」、タイトルとして「北海道旅行」、カテゴリとして「国内旅行」、キーワードとして「旅行」「家族」が登録されており、更に、広告映像ではないという情報（広告映像：Ｎ）が登録されており、ファイル形式としては、「ＭＰＥＧ１」、時間は「２０分」、ファイルサイズは、「１０ＭＢ」として登録されており、所在場所の情報は更に小項目として、ＩＰアドレス、フォルダ名、ファイル名があり、図４（ａ）の例では、ＩＰアドレスとして、「123.45.67.890 」、フォルダ名として「Ｄ：￥ＭｙＶｉｄｅｏ」、ファイル名として「hokkaido.mpg」が登録されている様子を示している。
【００８９】
図６（ｂ）の例では、ＩＤとして「０００３００１」、タイトルとして「夏の北海道イメージ」、カテゴリとして「国内旅行」、キーワードとして「旅行」「家族」が登録されており、広告映像であるという情報が登録されており、ファイル形式としては「ＷＭＴ」、時間は「１分」、ファイルサイズは、「５００ＫＢ」として登録されており、所在場所の情報は、図６（ｂ）の例では、ＩＰアドレスとして「234.56.78.901 」、フォルダ名として「Ｇ：￥ＡＤ」、ファイル名として、「hokkaido.asf」が登録されている様子を示している。
【００９０】
映像検索サーバ２００では、図６の例のような映像属性情報を映像属性情報ＤＢ２１０で管理し、映像検索クライアント３００からの検索条件に合致する映像属性情報を検索し、結果を返す処理を行なう。
【００９１】
図６を用いて広告情報提供手順の具体例を説明する。
【００９２】
映像検索クライアント３００から一般映像を対象とした映像属性情報の検索要求が、例えば、タイトルに「北海道」という文字列が含まれる、という条件であるとすると、この要求に対しての検索結果として映像検索サーバ３００は、図６（ａ）の映像属性情報を得る。
【００９３】
さらに、図６（ａ）に関連する広告映像の映像属性情報を探す際に、例えば、タイトルに同様の文字列が含まれる広告映像の映像属性情報を探すという条件で検索した場合、「北海道」という文字列をタイトルに含む広告映像の映像属性情報として図６（ｂ）が検索される。
【００９４】
最終的に、映像検索サーバ２００から映像検索クライアント３００に、検索結果として送信される情報は、図６（ａ）と図６（ｂ）の映像属性情報を合わせたものとなる。
【００９５】
［第５の実施の形態］
本実施の形態では、映像検索クライアント３００から映像検索サーバ２００に対し、映像属性情報を検索する際に用いる検索条件について説明する。
【００９６】
図７は、本発明の第５の実施の形態における映像検索クライアントの画面表示の一例を示す。同図の内容は、映像検索サーバ２００上の検索対象の映像属性情報に対しての検索条件の例であり、検索条件の内容として、映像属性情報のうち、タイトル、カテゴリ、キーワードの３種類を設定している例であり、タイトルとして「信州」、カテゴリとして「国内旅行」、キーワードとして「家族」「列車」が指定されている。
【００９７】
各検索条件の項目入力欄の下部の検索ボタンを押下することで、タイトル、カテゴリ、キーワードとして指定された情報が映像検索サーバ２００に送られる。
映像検索サーバ２００では、受け取った検索条件に合致する映像属性情報を映像属性情報ＤＢ２１０の中から検索し、結果を返す。
【００９８】
［第６の実施の形態］
本実施の形態では、映像検索クライアント３００が、映像登録クライアント１００から一般映像データ、及び当該一般映像データと関連する広告映像データを転送する際の具体的な動作を説明する。
【００９９】
図８は、本発明の第６の実施の形態における映像検索クライアントが映像登録クライアントから映像データを転送する際の具体例を示すフローチャートである。
【０１００】
同図において、前段として、映像検索クライアント３００は、図６（ａ）、図６（ｂ）に示した一般映像データの映像属性情報とこれに対応する広告映像の映像属性情報を検索結果として得ており、図８は、当該映像属性情報をもつ２つの映像データに対しての転送要求を出す場合のフローチャートを示す。
【０１０１】
ステップ１１０）  ２つの映像登録クライアントＡ( ＩＰアドレス：123.45.67.890)、及びＢ（ＩＰアドレス234.56.78.901)に対し、映像データの転送要求情報を送信し、ステップ１１１、ステップ１１３に移行する。
【０１０２】
ステップ１１１／ステップ１１３）  各々映像登録クライアント１００Ａ、及び映像登録クライアント１００Ｂにおいて、映像検索クライアント３００からの映像転送要求情報を受信し、各々ステップ１１２、ステップ１１４に移行する。
ステップ１１２／ステップ１１４）  映像登録クライアント１００Ａ及び映像登録クライアント１００Ｂが、各々映像データの実体である映像ファイルを映像検索クライアント３００に送信する。映像登録クライアント１００Ａでは、「Ｄ：￥ＭｙＶｉｄｅｏ￥ｈｏｋｋａｉｄｏ．ｍｐｇ」、映像登録クライアント１００Ｂでは、「Ｇ：￥ＡＤ￥ｈｏｋｋａｉｄｏ．ａｓｆ」を映像検索クライアント３００に送信し、ステップ１１５に移行する。
【０１０３】
ステップ１１５）  映像検索クライアント３００において、映像登録クライアント１００Ａ、及び映像登録クライアント１００Ｂから送信されてきた映像ファイルを受信する。これは、例えば、コンピュータのハードディスク上に転送されてきたファイルを保存することで実現可能である。
【０１０４】
［第７の実施の形態］
本実施の形態では、映像検索クライアント２００で映像データを再生する例を説明する。
【０１０５】
図９は、本発明の第７の実施の形態における映像検索クライアント上で映像ファイルを再生する例を示す。同図は、映像検索クライアント３００において、前述の第６の実施の形態において示した一般映像ファイル「ｈｏｋｋａｉｄｏ．ｍｐｇ」を広告映像ファイル「ｈｏｋｋａｉｄｏ．ａｓｆ」を連続して再生する場合の例を示している。
【０１０６】
図９（ａ）は、映像再生開始と共に、広告映像ファイル「ｈｏｋｋａｉｄｏ．ａｓｆ」が再生されている様子を示している。映像の再生は、コンピュータ上の予め決められた映像再生用ソフトウェアを利用することで実現可能である。予め決められた映像再生用のソフトウェアとしては、例えば、マイクロソフト社のメディアプレーヤーが挙げられる。
【０１０７】
図９（ｂ）は、広告映像ファイル「ｈｏｋｋａｉｄｏ．ａｓｆ」の再生終了後、直ちに、一般映像ファイル「ｈｏｋｋａｉｄｏ．ｍｐｇ」が再生されている様子を示したものである。二種類以上の映像ファイルを連続的に再生させるのは、例えば、マイクロソフト社のウィンドウズメディア技術におけるプレイリスト再生機能を利用することで実現可能である。
【０１０８】
前述のように、映像検索クライアント３００からの検索条件に対しての直接の検索結果である映像ファイル「ｈｏｋｋａｉｄｏ．ｍｐｇ」を再生する際に、「ｈｏｋｋａｉｄｏ．ｍｐｇ」と関連する映像属性情報を持つ広告映像ファイル「ｈｏｋｋａｉｄｏ．ａｓｆ」も連続して再生することで映像検索クライアント３００の利用者は自分の見たい映像に加え、関連する広告映像も鑑賞でき、新たな情報、知識が得られるという効果がある。
【０１０９】
また、広告映像を提供する広告主側としても作成した広告映像を映像検索クライアントからの検索要求に対しての結果として提供できるため、広告効果の高い広告映像の提供が実現できる。
【０１１０】
［第８の実施の形態］
本実施の形態では、映像検索クライアント３００において、映像データを視聴する際に、前述の第６の実施の形態において示した一般映像ファイル「ｈｏｋｋａｉｄｏ．ｍｐｇ」のダウンロード中の待ち時間に広告映像ファイル「ｈｏｋｋａｉｄｏ．ａｓｆ」をストリーミング再生する場合の例について説明する。
【０１１１】
図１０は、本発明の第８の実施の形態における映像検索クライアント上での映像ファイル受信用のソフトウェア画面の例であり、映像検索クライアントを実現するコンピュータ上で映像再生機能を備えた映像ファイル受信用のソフトウェア画面を示したものである。
【０１１２】
同図では、一般映像ファイル「ｈｏｋｋａｉｄｏ．ｍｐｇ」を受信している様子を画面中のプログレスバー表示で示している。
【０１１３】
同図では、同時に広告映像ファイル「ｈｏｋｋａｉｄｏ．ａｓｆ」を受信しながら再生している様子も示している。コンピュータ上で映像ファイルをネットワークを介して受信しながら、再生する方法としては、例えば、マイクロソフト社のウィンドウズメディア技術における映像ストリーミング再生の方式が適用できる。
【０１１４】
これにより、映像検索クライアント３００の利用者は、本実施の形態にように広告映像を含む２つの映像を受信する際に、一方の映像を受信している間に他方の映像を受信しつつ再生できるため、前述の第６の実施の形態及び第７の実施の形態とは異なり、２つの映像コンテンツを両方とも受信し終えるまで待ち続ける必要がなくなる。
【０１１５】
［第９の実施の形態］
本実施の形態では、利用者情報の登録手順について説明する。
【０１１６】
図１１は、本発明の第９の実施の形態における利用者情報登録に用いる利用者情報の一例を示す。同図（ａ）は、映像検索クライアント３００の利用者が映像検索サーバ２００に登録する利用者情報の一例を示している。利用者情報の項目としては、氏名、連絡先としてのメールアドレス、趣味、及び嗜好情報の「凝っているもの」等である。
【０１１７】
同図（ａ）の例では、氏名として「山田太郎」、メールアドレス
「yamada@ntt.co.jp」
趣味「旅行、食べ歩き、音楽鑑賞」、凝っているもの「北海道旅行、小樽のウニ丼、日本語のポップス音楽」が登録されていることを示している。
【０１１８】
また、同図（ｂ）では、映像検索サーバ２００が保持する広告映像の映像属性情報の一例を示している。同図（ｂ）では、映像ＩＤとして、「0005001 」、タイトルとして、「お店紹介」「小樽」、カテゴリとして「グルメ」、キーワードとして「小樽」「海産物」「飲食店」「ウニ丼」「イクラ丼」、ファイル形式としては、「ＷＭＴ」、時間は「１分」、ファイルサイズは「５００ＫＢ」として登録されており、映像ファイルの所在場所の情報として、ＩＰアドレス「345.67.012」、フォルダ名として、「Ｇ：￥ＡＤ−ＨＯＫＫＡＩＤＯ」、ファイル名として「otaru.asf 」が登録されている様子を示している。
【０１１９】
同図（ａ）の例のような利用者情報が映像検索クライアント３００の利用者から映像検索サーバ２００に登録されている場合、例えば、前述の第５の実施の形態のような検索条件で検索した場合に、例えば、前述の第４の実施の形態で示した「hokkaido.mpg」の属性情報が一般映像コンテンツの検索結果として得られるが、更に広告映像を検索する際に「hokkaido.mpg」映像属性情報だけでなく、図１１（ａ）のような利用者情報も検索条件として合わせて広告映像を探すと、前述の第４の実施の形態で示した「hokkaido.asf」以外の広告映像として図９（ｂ）に示した属性情報を持つ「otaru.asf 」の情報も検索結果として得られる。
【０１２０】
このように、利用者情報として趣味、嗜好に関する情報を映像検索サーバ２００に登録しておくことで、一般映像の検索結果が持つ映像属性情報だけでなく、利用者の趣味、嗜好に関する情報も広告映像を探す際の材料となるため、より利用者にとって価値のある広告映像を提供することが可能となる。また、広告主にとっても広告効果が向上するというメリットがある。
【０１２１】
［第１０の実施の形態］
本実施の形態では、広告映像提供方法について説明する。
【０１２２】
図１２は、本発明の第１０の実施の形態における広告映像情報提供方法の概要を示す図である。
【０１２３】
以下の説明中の（）内の数字と同図内の数字は対応するものとする。
【０１２４】
（１）  映像登録クライアント１００Ａにおいて、新車紹介に関する広告映像に対し、「新車紹介」というタイトル、及び一般的な広告情報としての車の機能紹介等のコメントを映像属性情報（「映像属性情報ａ」とする）として作成し、映像検索サーバ２００に登録する。
【０１２５】
（２）  映像検索クライアント３００Ａの利用者Ａが映像検索サーバ２００に対し、キーワード「新車」で映像属性情報の検索要求をかける。
【０１２６】
（３）  映像検索サーバ２００において、映像検索クライアント３００Ａからの検索要求に対し、（１）にて映像登録クライアント１００Ａから登録された「新車紹介」の広告映像の映像属性情報「映像属性情報ａ」を検索結果として返す。
【０１２７】
（４）  映像検索クライアント３００Ａにおいて、映像検索サーバ２００から「映像属性情報ａ」を検索結果として受け取り、当該「映像属性情報ａ」に含まれる広告映像「新車紹介」の所在場所として、映像登録クライアント１００ＡのＩＰアドレス情報を獲得し、獲得した所在情報を基に映像登録クライアント１００Ａに対し、広告映像「新車紹介」の実データを要求する。
【０１２８】
（５）  映像登録クライアント１００において、映像検索クライアント３００Ａから受けた広告映像「新車紹介」の実データの送信リクエストに対して、当該広告映像「新車紹介」の実データを送信する。
【０１２９】
（６）  映像検索クライアント３００Ａにおいて、映像登録クライアント１００Ａから広告映像「新車紹介」の実データを受信する。
【０１３０】
（７）  映像検索クライアント３００Ａにおいて（６）で受信した広告映像「新車紹介」の実データを視聴した上での感想等のコメント情報を当該広告映像「新車紹介」の新たな映像属性情報（「映像属性情報ｂ」とする）として映像検索サーバ２００に登録する。
【０１３１】
（８）  映像検索クライアント３００Ｂにおいて、映像検索サーバ２００に対し、キーワード「新車」で映像属性情報の検索要求をかける。
【０１３２】
（９）  映像検索サーバ２００において、映像検索クライアント３００からの映像属性情報の検索要求に対し、広告映像「新車紹介」の「映像属性情報ａ」、「映像属性情報ｂ」の両方を検索結果として返す。
【０１３３】
（１０）  映像クライアント３００Ｂにおいて、映像検索サーバ２００から受け取った検索結果「映像属性情報ａ」及び「映像属性情報ｂ」に含まれる広告映像「新車紹介」の所在場所として例えば、映像検索クライアント３００ＡのＩＰアドレス情報を獲得し、獲得した所在情報を基に映像検索クライアント３００Ａに対し、広告映像「新車紹介」の実データを要求する。
【０１３４】
（１１）  映像検索クライアント３００Ａにおいて、映像検索クライアント３００Ｂから受けた広告映像「新車紹介」の実データの送信リクエストに対して、当該広告映像「新車紹介」の実データを送信する。
【０１３５】
（１２）  映像検索クライアント３００Ｂにおいて、映像検索クライアント３００Ａから広告映像「新車紹介」の実データを受信する。
【０１３６】
本実施の形態の上記の（１）〜（１２）を実現することで、映像検索クライアント３００の利用者は、広告映像「新車紹介」について、最初に広告主によって登録された製品についての一般的な広告情報としての機能紹介等のコメントが含まれる「映像属性情報ａ」に加え、当該利用者以外の他の映像検索クライアント利用者が当該広告映像「新車紹介」を視聴した上での感想等の情報を「映像属性情報ｂ」として得ることができ、当該広告映像の内容に対して、より多くの情報を知識として得ることが可能となる。
【０１３７】
例えば、「映像属性情報ｂ」として、当該広告映像で紹介されている車を実際に購入して使用した感想が含まれているような場合には、映像検索クライアント３００の利用者にとって、当該広告映像で紹介されている車に対しての購買意欲を向上させる効果をもたらす場合もある。
【０１３８】
また、広告主にとっても前述のように、広告効果が増大することの他に広告映像「新車紹介」を視聴した上での視聴者の感想を入手することができ、その後の車の開発、販売、あるいは、広告映像そのもの制作に対しての戦略を検討する上での有益な情報として利用することが可能となる。
【０１３９】
［第１１の実施の形態］
本実施の形態では、映像検索サーバ２００が広告映像データの映像属性情報を検索する際に、広告映像データの所在場所である映像登録クライアント１００が稼働中であって、広告映像データを当該映像検索クライアント３００に転送可能かどうかを判断する手順について説明する。
【０１４０】
図１３は、本発明の第１１の実施の形態における広告映像提供方法の概要を示す。
【０１４１】
同図において、各コンピュータの状況として映像登録クライアント１００Ｂ、映像検索クライアント３００、及び映像検索サーバ２００は、稼働中であるが、映像登録クライアント１００Ａは停止中である様子を示している。
【０１４２】
このような状況において図１３中の（１）に示すように映像検索クライアント３００において、キーワード「新車」で広告映像を対象として検索要求をかけた場合、映像検索サーバ２００では、図１３の（２）に示すように、検索要求を受け取り、「新車」というキーワードを含む映像属性情報を検索すると同時に、実際の映像データを送信可能な映像登録クライアント１００を探す。
【０１４３】
映像検索サーバ２００は、映像属性情報として「新車」というキーワードを持つ広告映像データとして、映像登録クライアント１００Ａと映像登録クライアント１００Ｂが存在するという情報を保持している。
【０１４４】
この際、映像検索サーバ２００の図１３中の（３）に示すように映像登録クライアント１００Ａと映像登録クライアント１００Ｂに対し、コンピュータが稼働中であるかどうかのチェックを行なう。コンピュータが稼働中であるかどうかのチェックは、例えば、インターネット上のコンピュータ同士がＴＣＰ／ＩＰプロトコルで通信する場合は、指定するコンピュータが稼働中かどうかをチェックするコマンド「ｐｉｎｇ“コンピュータ名”」を利用することで実現できる。
【０１４５】
図１３の場合、映像登録クライアント１００Ａのコンピュータは停止中であり、映像と登録クライアント１００Ｂは稼動中であり、映像データの送信が可能である。このため、映像検索サーバ２００は、映像登録クライアント１００Ｂの所持する広告映像の映像属性情報のみを検索結果として返す。
【０１４６】
前述の例とは異なり、映像検索サーバ２００において、広告映像の実映像データの送信が可能なコンピュータをチェックせずに、広告映像の映像属性情報を検索結果として返す場合は、映像登録クライアント１００が実映像データの送信を要求しても当該実映像データを持つ映像登録クライアント１００のコンピュータが停止中の場合は、広告映像の送信ができない。
【０１４７】
これに対し、映像検索サーバ２００において、広告映像の実映像データの送信が可能なコンピュータをチェックし、実映像データの送信が可能なコンピュータが保持する当該広告映像の映像属性情報を検索結果として返すことで、検索結果を受けた映像検索クライアント３００は、実データの受信要求をかけた場合に、確実に広告映像の受信をすることが可能となる。これにより、映像検索クライアント３００の利用者は確実に広告映像を視聴することができる。
【０１４８】
［第１２の実施の形態］
本実施の形態では、広告映像提供による課金方法について説明する。
【０１４９】
図１４は、本発明の第１２の実施の形態における広告映像提供方法の課金手順の具体例を示すキャッシュフロー図である。
【０１５０】
本発明の課金手順は、例えば、課金機能を映像検索サーバ２００、映像登録クライアント１００、及び映像検索クライアント３００と通信回線を介して接続される課金サーバを設け、当該課金サーバ上で実現するか、あるいは、課金サーバを設けるのではなく、当該映像検索サーバ２００上に当該課金手順を設け、当該映像検索サーバ２００内で課金情報の管理を行なうようにすることも可能である。図１４（ａ），（ｂ）は、課金サーバを設けるのではなく、映像検索サーバ２００上に課金手順を設けた場合の具体的なキャッシュフローの例である。
【０１５１】
図１４（ａ）は、映像検索クライアント３００の利用者が映像検索サーバ２００に対し、広告映像を指定して映像属性情報の検索を行い、検索結果中の映像データの所在情報に基づいて広告主の映像登録クライアント１００に対し、広告映像データの転送要求をかける場合のキャッシュフローである。
【０１５２】
図１４（ａ）の場合、映像検索クライアント３００が、広告主の映像登録クライアント１００からの広告映像データの受信が終了すると、まず、受信記録を示すログ情報が映像検索クライアント３００から映像検索サーバ２００に送られ、次に、映像検索サーバ２００から広告主の映像登録クライアント１００に広告映像データが転送されたことを示すレポート情報が渡される。この場合のレポート情報は、例えば、映像検索クライアント３００の利用者の利用者情報の広告主にとってのその後の広告活動に反映できる情報である。
【０１５３】
次に、映像検索サーバ２００から広告映像データを転送した映像検索クライアント３００にインセンティブが渡される。この場合のインセンティブは例えば、後に換金できたり、何等かの物品と交換できるポイントである。このポイントは、広告主に利用者情報を提供し、広告主の広告営業活動に貢献したことに対してのインセンティブである。
【０１５４】
最後に映像登録クライアント１００から映像検索サーバ２００の運用業者に対し、広告料が支払われる。この広告料が前述の映像検索クライアント３００へのインセンティブ、あるいは、映像検索サーバ２００の運用業者の収入源として活用される。
【０１５５】
図１４（ｂ）は、前述の第１１の実施の形態と同様のフローで広告映像が提供された場合のキャッシュフローである。
【０１５６】
図１４（ｂ）の場合、映像検索クライアント３００が映像登録クライアント１００Ｂからの広告映像データの転送が終了したら、まず、映像検索クライアント３００の広告映像データの受信記録を示すログ情報が映像検索クライアント３００から映像検索サーバ２００に送られ、次に、映像検索サーバ２００から広告主の映像登録クライアント１００Ａに広告映像データが転送されたことを示すレポート情報が渡される。この場合、レポート情報は、例えば、映像検索クライアント３００の利用者の利用者情報等の広告主にとってのその後の広告活動に反映できる情報である。
【０１５７】
次に、映像検索サーバ２００から広告映像データを転送した映像検索クライアント３００にインセンティブが渡される。この場合のインセンティブは、例えば、後に換金できたり、何らかの物品と交換できるポイントでる。このポイントは、広告主に利用者情報を提供し、広告主の広告営業活動に貢献したことに対してのインセンティブである。
【０１５８】
これと同時に映像登録クライアント１００Ｂへも映像検索サーバ２００からインセンティブが渡される。この場合、映像登録クライアント１００Ｂは、広告主ではないが、映像検索クライアント３００よりも先に広告主の映像登録クライアント１００Ａの広告映像を転送し、広告映像への感想等の二次的な広告の意味合いを持つコメント情報を映像検索サーバ２００に登録しており、映像検索クライアント３００が当該広告映像の転送要求をかけ、広告主の広告営業活動に貢献したことに対してのインセンティブとして渡される。
【０１５９】
最後に、広告主の映像登録クライアント１００から映像検索サーバ２００の運用業者に対し、広告料が支払われる。この広告料が前述の映像検索クライアント３００、あるいは、映像登録クライアント１００Ｂへのインセンティブ、あるいは、映像検索サーバ２００の運用業者の収入源として活用される。
【０１６０】
仮に、映像検索クライアント３００が広告映像ではなく、一般映像を対象として映像検索サーバ２００に対して検索要求をかけた場合、映像検索クライアント３００の利用者は、広告映像を積極的に所望しているわけではない場合もある。
しかしながら、前述の図１４（ｂ）の例のように、映像検索クライアント３００の利用者に対してインセンティブを設けることで広告映像の流通が促進され、広告主にとっての広告活動にも効果的である。
【０１６１】
なお、上記の各実施の形態における映像登録クライアント１００、映像検索サーバ２００及び映像検索クライアント３００の各動作をプログラムとして構築し、映像登録クライアント１００、映像検索サーバ２００及び映像検索クライアント３００として利用されるコンピュータにインストールする、または、ネットワークを介して流通させることが可能である。
【０１６２】
また、構築されたプログラムを映像登録クライアント１００、映像検索サーバ２００及び映像検索クライアント３００として利用されるコンピュータに接続されるハードディスクや、フロッピーディスク、ＣＤ−ＲＯＭ等の可搬記憶媒体に格納しておき、本発明を実施する際にインストールすることにより、容易に本発明を実現できる。
【０１６３】
なお、本発明は、上記の実施の形態の例に限定されることなく、特許請求の範囲内において、種々変更・応用が可能である。
【０１６４】
【発明の効果】
上述のように、本発明によれば、映像検索クライアントにおいて、映像検索サーバに映像属性情報の検索要求を発行する際に、広告映像のみを対象として検索要求を出すことができる。このため、映像検索クライアントの利用者は、自分の趣味や嗜好に合った広告映像を積極的に探し出し、視聴することが可能となる。
また、本発明によれば、映像検索サーバは、広告映像データの実体ではなく、データの映像属性情報だけを保持すればよく、また、広告映像と一般映像データの関連付けは広告情報提供手順において自動的に行なわれる。そのため、広告主側で制作した広告映像の映像属性情報を映像検索サーバに一度登録するだけで、広告映像の更新、あるいは、広告映像と一般的映像を対応付けて保持するような作業を行なわずに済み、広告映像の製作から提供までの作業の煩雑化を防ぐことが可能となる。
【０１６５】
また、広告映像の更新の際は、例えば、広告前の広告映像の映像属性情報として映像ファイルの名称を登録しておき、広告主が新規に広告情報の映像ファイルを製作した場合でも、既に登録してある映像ファイル名と同じ名称で製作することで、新規に製作した広告映像の映像属性情報を新たに作成し、映像検索サーバに登録するような過程は必要なくなる。このため、煩雑化を防ぐことができる他、映像の更新前からサーバ上に存在する映像属性情報中のファイル名の情報は新規に作成した映像ファイル名と同様のものであるため、広告映像の製作終了と共に、広告映像データの提供が可能になる。
【０１６６】
また、本発明によれば、広告映像を視聴するクライアント利用者の趣味、嗜好に関する情報を利用者情報としてサーバで保持し、広告映像を検索する際に利用する。これにより、クライアント利用者に広告映像を提供する際に、利用者の趣味、嗜好に合致した広告映像を提供することが可能となり、利用者の広告映像の利用効率、あるいは、広告主にとっても広告効果も向上する。
【０１６７】
また、本発明によれば、広告映像を視聴するクライアント利用者が広告映像を視聴した後、広告映像の内容に関しての感想、意見を映像検索サーバ側に登録し、登録した内容を後の他のクライアント利用者に対し広告映像を提供する際に合わせて提供する。これにより、広告主としては、クライアント利用者が広告映像の内容に対し、どのような感想を持ったのかを知ることが可能となり、その後の広告映像の製作等に反映させることができる。また、クライアント利用者としても広告映像に対して、苦情や感謝の意を表すようなコメント情報を広告主に対して示すことが可能となる。
【０１６８】
また、本発明では、映像データの映像属性情報を提供するサーバには、映像データの実際ではなく、その属性情報だけを保持し、クライアントにおいて、映像検索サーバ上の属性情報を検索し、検索した結果を持つ映像データを視聴する場合は、サーバとは異なる別のコンピュータ上に存在する映像データの実体を視聴する要求をかけるいわゆるピアツーピア型のファイル交換方式の中で広告映像データの提供方法を提案するものである。ここで、ピアツーピア型ファイル交換方式の問題点として、サーバと実際に映像データを保持するコンピュータは、別のコンピュータであるため、サーバで行った検索結果を基に実際の映像データを視聴しようとしても映像データの実体を所持するコンピュータが稼動していない場合には、映像データの視聴が不可能になる、ということが挙げられる。つまり、検索結果としては得られるが、実際のデータは視聴できない、という場合が存在するということである。
【０１６９】
そこで、本発明によれば、広告映像の実データの存在するコンピュータのうち、コンピュータが稼動中であって、広告映像データを提供することが可能案コンピュータを映像検索サーバが判断し、広告映像データを提供することが可能なコンピュータ上に存在する広告映像の映像属性情報のみをクライアント利用者に対しての検索結果として提供する。このため、映像検索サーバから検索結果としてクライアント利用者に提供した広告映像データについて、クライアント利用者は確実にその実データを視聴することができる。
【０１７０】
また、本発明によれば、クライアントの利用者に対して広告映像の転送の際に、インセンティブを設け、さらに広告主から広告料を課金することで広告映像の流通が促進され、広告主にとっての広告活動にも効果的であり、さらには、前述の広告料をサーバ運用者のサーバ運用、管理のための資金としても活用できる。
【図面の簡単な説明】
【図１】本発明の原理を説明するための図である。
【図２】本発明の原理構成図である。
【図３】本発明の第１の実施の形態における広告映像流通システムの概要を示す図である。
【図４】本発明の第２の実施の形態の広告映像提供システムの構成図である。
【図５】本発明の第３の実施の形態における映像検索クライアントから映像検索サーバ上の映像属性情報を検索し広告映像の映像属性情報を受け取るまでのフローチャートである。
【図６】本発明の第４の実施の形態における映像属性情報の一例を示すリストである。
【図７】本発明の第５の実施の形態における映像検索クライアントの画面表示の一例である。
【図８】本発明の第６の実施の形態における映像検索クライアントが映像登録クライアントから映像データを転送する際の具体例を示すフローチャートである。
【図９】本発明の第７の実施の形態における映像検索クライアント上で映像ファイルを再生する例である。
【図１０】本発明の第８の実施の形態における映像検索クライアント上での映像ファイル受信用のソフトウェア画面の例である。
【図１１】本発明の第９の実施の形態における利用者情報登録手順に用いる利用者情報の一例である。
【図１２】本発明の第１０の実施の形態における広告映像提供方法の概要を示す図である。
【図１３】本発明の第１１の実施の形態における広告映像提供方法の概要を示す図である。
【図１４】本発明の第１２の実施の形態における広告映像提供方法の課金手順の具体邸を示すキャッシュフロー図である。
【符号の説明】
１００  映像登録クライアント
１０１  広告映像属性情報登録手段
１１０  映像データＤＢ
１２０  属性情報入力部
１３０  属性情報送信部
１４０  映像データ要求受信部
１５０  映像データ送信部
２００  映像検索サーバ
２０１  広告映像属性情報検索手段
２１０  映像属性情報ＤＢ
２２０  映像属性情報検索部
２３０  検索情報送受信部
３００  映像検索クライアント
３０１  広告映像属性情報検索要求手段
３１０  検索条件送信部
３２０  検索結果受信部
３３０  映像データ要求部
３４０  映像データ受信部
【図１】
0003979071.tif 000002
【図２】
0003979071.tif 000003
【図３】
0003979071.tif 000004
【図４】
0003979071.tif 000005
【図５】
0003979071.tif 000006
【図６】
0003979071.tif 000007
【図７】
0003979071.tif 000008
【図８】
0003979071.tif 000009
【図９】
0003979071.tif 000010
【図１０】
0003979071.tif 000011
【図１１】
0003979071.tif 000012
【図１２】
0003979071.tif 000013
【図１３】
0003979071.tif 000014
【図１４】
0003979071.tif 000015